(57)【特許請求の範囲】
【請求項１】
第１の絶縁層の上面に設けられた第１の導体と、前記第１の導体の上面に設けられた第２の絶縁層と、前記第２の絶縁層に設けられた第１のバイア電極と、前記第２の絶縁層の上面に設けられかつ前記第１の導体に前記第１のバイア電極を介して接続されてこの第１の導体とにより第１のコイルを構成する渦巻き状の第２の導体と、前記第２の導体の上面に設けられた第３の絶縁層と、前記第３の絶縁層の上面に設けられた渦巻き状の第３の導体と、前記第３の導体の上面に設けられた第４の絶縁層と、前記第４の絶縁層に設けられた第２のバイア電極と、前記第４の絶縁層の上面に設けられかつ前記第３の導体に前記第２のバイア電極を介して接続されてこの第３の導体とにより第２のコイルを構成する第４の導体と、前記第４の導体の上面に設けられた第５の絶縁層と、前記第１〜第４の導体の各々の一端部にそれぞれ接続された第１〜第４の引出電極とを備え、前記第１の絶縁層および第５の絶縁層を磁性体で構成し、かつ前記第２〜第４の絶縁層を非磁性体で構成するとともに、前記第３の絶縁層の厚みを前記第２の絶縁層および第４の絶縁層の厚みより厚くしたコモンモードノイズフィルタ。
【請求項２】
第３の絶縁層において第２の導体および第３の導体の渦巻きの内側に磁性材料からなる磁性部を設けた請求項１記載のコモンモードノイズフィルタ。
【請求項３】
第１の引出電極および第４の引出電極を、第１の絶縁層または第４の絶縁層の同一面に設けるようにした請求項１記載のコモンモードノイズフィルタ。
【請求項４】
第１〜第４の引出電極のそれぞれの幅を、第１〜第４の導体のそれぞれの幅より広くした請求項１記載のコモンモードノイズフィルタ。
【請求項５】
第１の導体および第４の導体のそれぞれの幅を、第２の導体および第３の導体のそれぞれの幅より広くした請求項１記載のコモンモードノイズフィルタ。
【発明の詳細な説明】
【技術分野】
【０００１】
本発明は、各種電子機器に使用される小型で積層型のコモンモードノイズフィルタに関するものである。
【背景技術】
【０００２】
図７は、従来のコモンモードノイズフィルタの分解斜視図である。
【０００３】
従来のコモンモードノイズフィルタは、図７に示すように、第１〜第４の絶縁層１ａ〜１ｄの各々の上面にそれぞれ渦巻き状の第１〜第４の導体２ａ、２ｂ、３ａ、３ｂを設け、そして第１の導体２ａと第２の導体２ｂとをバイア電極４ａを介して接続することにより第１のコイル２を形成するとともに、第３の導体３ａと第４の導体３ｂとをバイア電極４ｂを介して接続することにより第２のコイル３を形成していた。
【０００４】
また、前記第１の絶縁層１ａの下面と第４の導体３ｂの上面に磁性体からなる第５の絶縁層５をそれぞれ設け、さらに、前記第２の絶縁層１ｂ〜第４の絶縁層１ｄを非磁性体で構成するとともに、前記第１の絶縁層１ａと第５の絶縁層５を磁性体で構成していた。
【０００５】
上記のような構成とすることにより、第３の絶縁層１ｃを介して対向する第２の導体２ｂと第３の導体３ａとを磁気結合させ、これにより、第１のコイル２と第２のコイル３のコモンモード成分のインピーダンスを大きくして、コモンモードノイズを除去するようにしていた。
【０００６】
なお、この出願の発明に関する先行技術文献情報としては、例えば、特許文献１が知られている。
【特許文献１】特開２０００−１９０４１０号公報
【発明の開示】
【発明が解決しようとする課題】
【０００７】
上記した従来のコモンモードノイズフィルタにおいては、第３の絶縁層１ｃの厚みが薄い場合、この第３の絶縁層１ｃを介して設けられた第２の導体２ｂと第３の導体３ａとの間すなわち第１のコイル２と第２のコイル３との間で絶縁不良やマイグレーション等が発生する可能性があった。さらに、第２の絶縁層１ｂ、第４の絶縁層１ｄの厚みが厚い場合、第１の絶縁層１ａと第２の導体２ｂとの距離、第４の導体１ｄの上面に設けられた第５の絶縁層５と第３の導体３ａとの距離が長くなるため、第１の絶縁層１ａ、第５の絶縁層５で発生する磁界を有効に活用できず、第１のコイル２、第２のコイル３のコモンモード成分のインピーダンスを大きくすることができない可能性があるという課題を有していた。
【０００８】
本発明は上記従来の課題を解決するもので、第１のコイルと第２のコイルとの間で絶縁不良やマイグレーション等が発生するのを防止することができ、さらには第１のコイル、第２のコイルのコモンモード成分のインピーダンスを大きくすることができるコモンモードノイズフィルタを提供することを目的とするものである。
【課題を解決するための手段】
【０００９】
上記目的を達成するために本発明は、第１の絶縁層および第５の絶縁層を磁性体で構成し、かつ第２〜第４の絶縁層を非磁性体で構成するとともに、第３の絶縁層の厚みを第２の絶縁層および第４の絶縁層の厚みより厚くしたもので、第３の絶縁層の厚みを厚くすることができるため、この第３の絶縁層を介して設けられた第２の導体と第３の導体との間、すなわち第１のコイルと第２のコイルとの間で絶縁不良やマイグレーション等が発生するのを防止することができ、さらには、第２の絶縁層および第４の絶縁層の厚みを薄くできるため、第１の絶縁層と第２の導体との距離および第５の絶縁層と第３の導体との距離をそれぞれ短くでき、これにより、磁生体で構成された第１の絶縁層および第５の絶縁層で発生する磁界を有効に活用できるため、第１のコイル、第２のコイルのコモンモード成分のインピーダンスを大きくすることができるという作用効果が得られるものである。
【発明の効果】
【００１０】
以上のように本発明は、第１の絶縁層の上面に設けられた第１の導体と、前記第１の導体の上面に設けられた第２の絶縁層と、前記第２の絶縁層に設けられた第１のバイア電極と、前記第２の絶縁層の上面に設けられかつ前記第１の導体に前記第１のバイア電極を介して接続されてこの第１の導体とにより第１のコイルを構成する渦巻き状の第２の導体と、前記第２の導体の上面に設けられた第３の絶縁層と、前記第３の絶縁層の上面に設けられた渦巻き状の第３の導体と、前記第３の導体の上面に設けられた第４の絶縁層と、前記第４の絶縁層に設けられた第２のバイア電極と、前記第４の絶縁層の上面に設けられかつ前記第３の導体に前記第２のバイア電極を介して接続されてこの第３の導体とにより第２のコイルを構成する第４の導体と、前記第４の導体の上面に設けられた第５の絶縁層と、前記第１〜第４の導体の各々の一端部にそれぞれ接続された第１〜第４の引出電極とを備え、前記第１の絶縁層および第５の絶縁層を磁性体で構成し、かつ前記第２〜第４の絶縁層を非磁性体で構成するとともに、前記第３の絶縁層の厚みを前記第２の絶縁層および第４の絶縁層の厚みより厚くしているため、第３の絶縁層の厚みを厚くすることができ、これにより、この第３の絶縁層を介して設けられた第２の導体と第３の導体との間、すなわち第１のコイルと第２のコイルとの間で絶縁不良やマイグレーション等が発生するのを防止することができ、さらには、第２の絶縁層および第４の絶縁層の厚みを薄くできるため、第１の絶縁層と第２の導体との距離および第５の絶縁層と第３の導体との距離をそれぞれ短くでき、これにより、磁生体で構成された第１の絶縁層、第５の絶縁層で発生する磁界を有効に活用できるため、第１のコイル、第２のコイルのコモンモード成分のインピーダンスを大きくすることができるという効果を奏するものである。
【発明を実施するための最良の形態】
【００１１】
図１は本発明の一実施の形態におけるコモンモードノイズフィルタの分解斜視図、図２は同コモンモードノイズフィルタの斜視図である。
【００１２】
本発明の一実施の形態におけるコモンモードノイズフィルタは、図１に示すように、第１の絶縁層１１の上面に設けられた第１の導体１２と、前記第１の導体１２の上面に設けられた第２の絶縁層１３と、前記第２の絶縁層１３の上面に設けられかつ前記第１の導体１２に接続された渦巻き状の第２の導体１４と、前記第２の導体１４の上面に設けられた第３の絶縁層１５と、前記第３の絶縁層１５の上面に設けられた渦巻き状の第３の導体１６と、前記第３の導体１６の上面に設けられた第４の絶縁層１７と、前記第４の絶縁層１７の上面に設けられかつ前記第３の導体１６に接続された第４の導体１８と、前記第４の導体１８の上面に設けられた第５の絶縁層１９とを備えている。
【００１３】
そして、前記第１の導体１２とこの第１の導体１２に接続された第２の導体１４とにより第１のコイル２０が構成され、かつ第３の導体１６とこの第３の導体１６に接続された第４の導体１８とにより第２のコイル２１が構成されている。
【００１４】
また、前記第１の絶縁層１１、第５の絶縁層１９は磁性体で構成し、かつ第２の絶縁層１３、第３の絶縁層１５、第４の絶縁層１７は非磁性体で構成している。
【００１５】
そしてまた、第３の絶縁層１５の厚みは第２の絶縁層１３および第４の絶縁層１７の厚みより厚くしている。
【００１６】
上記構成において、前記第１の絶縁層１１は、Ｆｅ2Ｏ3をベースとしたフェライト等の磁性材料によりシート状に構成されているもので、絶縁性を有している。
【００１７】
前記第１の導体１２は、銀等の導電材料をめっきすることにより形成されるもので、第１の絶縁層１１の上面に設けられている。また、この第１の導体１２の一端部には、第１の絶縁層１１の側部に露出する第１の引出電極２２が接続されている。
【００１８】
前記第２の絶縁層１３は、Ｃｕ−Ｚｎフェライト、ガラスセラミック等の非磁性材料によりシート状に構成されているもので、絶縁性を有し、かつ第１の導体１２の上面に設けられている。また、この第２の絶縁層１３の中央部には第１のバイア電極２３が形成されている。なお、この第１のバイア電極２３は、第１の導体１２の他端部１２ａと接続されている。
【００１９】
前記第２の導体１４は、渦巻き状に銀等の導電材料をめっきすることにより形成されるもので、第２の絶縁層１３の上面に設けられている。また、この第２の導体１４の一端部には、第２の絶縁層１３の側部に露出する第２の引出電極２４が接続されている。そしてまた、この第２の導体１４の他端部１４ａ、すなわち渦巻きの中心部は第１のバイア電極２３と接続されているもので、これにより、第１のバイア電極２３を介して第１の導体１２の他端部１２ａと第２の導体１４の他端部１４ａとが電気的に接続されるため、第１の導体１２と第２の導体１４は接続されることになり、これにより、第１の導体１２と第２の導体１４とからなる第１のコイル２０が形成される。
【００２０】
前記第３の絶縁層１５は、Ｃｕ−Ｚｎフェライト、ガラスセラミック等の非磁性材料によりシート状に構成されているもので、絶縁性を有し、かつ第２の導体１４の上面に設けられている。
【００２１】
また、前記第３の絶縁層１５の厚みは、第２の絶縁層１３および第４の絶縁層１７の厚みより厚くなっている。
【００２２】
さらに、前記第３の絶縁層１５を介して上下方向に隣り合う第２の導体１４と第３の導体１６は、互いに磁気的な影響を及ぼし合うため、第１のコイル２０と第２のコイル２１との間で磁気結合することになり、これにより、第１のコイル２０、第２のコイル２１のコモンモード成分のインピーダンスを大きくすることができる。
【００２３】
前記第３の導体１６は、渦巻き状に銀等の導電材料をめっきすることにより形成されるもので、第３の絶縁層１５の上面に設けられている。また、この第３の導体１６の一端部には、第３の絶縁層１５の側部に露出する第３の引出電極２５が接続されている。そしてまた、この第３の導体１６は、その大部分が第２の導体１４と第３の絶縁層１５を介して上面視にて重なるように対向している。
【００２４】
前記第４の絶縁層１７は、Ｃｕ−Ｚｎフェライト、ガラスセラミック等の非磁性材料によりシート状に構成されているもので、絶縁性を有し、かつ第３の導体１６の上面に設けられている。また、この第４の絶縁層１７の中央部には第２のバイア電極２６が形成されている。なお、この第２のバイア電極２６は、第３の導体１６の他端部１６ａ、すなわち渦巻きの中心部と接続されている。
【００２５】
前記第４の導体１８は、銀等の導電材料をめっきすることにより形成されるもので、第４の絶縁層１７の上面に設けられている。また、この第４の導体１８の一端部には、第４の絶縁層１７の側部に露出する第４の引出電極２７が接続されている。そしてまた、この第４の導体１８の他端部１８ａ、すなわち渦巻きの中心部は第２のバイア電極２６と接続されているもので、これにより、第２のバイア電極２６を介して第３の導体１６の他端部１６ａと第４の導体１８の他端部１８ａとが電気的に接続されるため、第３の導体１６と第４の導体１８は接続されることになり、これにより、第３の導体１６と第４の導体１８とからなる第２のコイル２１が形成される。なお、前記第２の導体１４、第３の導体１６を渦巻き状にすることによって、第１のコイル２０、第２のコイル２１のインピーダンスを大きくすることができる。また、第１のバイア電極２３および第２のバイア電極２６は、それぞれ第２の絶縁層１３を貫通する孔および第４の絶縁層１７を貫通する孔に銀等の導電体を充填することにより構成している。
【００２６】
前記第５の絶縁層１９は、Ｆｅ2Ｏ3をベースとしたフェライト等の磁性材料によりシート状に構成されているもので、絶縁性を有し、かつ第４の導体１８の上面に設けられている。
【００２７】
ここで、前記第２の絶縁層１３、第３の絶縁層１５、第４の絶縁層１７において、非磁性材料としてフェライト系のものを使用すると、第１の絶縁層１１、第５の絶縁層１９とともにフェライト同士となるため、各絶縁層を同時に焼成しても、各絶縁層の接合性が良くなり、安定した製品ができる。
【００２８】
なお、前記第１の絶縁層１１の下面と第５の絶縁層１９の上面にはダミー絶縁層２８が設けられているもので、このダミー絶縁層２８は、シート状に構成され、絶縁性を有しているが、その材料は磁性材料、非磁性材料のどちらで構成しても構わない。また、第１〜第５の絶縁層１１、１３、１５、１７、１９、ダミー絶縁層２８の枚数は、図１に示された枚数に限られるものではない。
【００２９】
そして、上記した構成により、ノイズフィルタ本体部２９が形成される。また、このノイズフィルタ本体部２９の両側面には、第１〜第４の外部電極３０、３１、３２、３３が設けられ、そしてこの第１〜第４の外部電極３０、３１、３２、３３はそれぞれ前記第１〜第４の引出電極２２、２４、２５、２７と接続されている。
【００３０】
上記したように、上下方向に隣り合い互いに磁気的な影響を及ぼし合う第２の導体１４と第３の導体１６は渦巻き状にしているため、互いに磁気的に影響を及ぼす導体の長さは長くなり、また、第１のコイル２０、第２のコイル２１を構成しかつ磁界が発生する第１〜第４の導体１２、１４、１６、１８は非磁性体に設けているため、磁束の漏れを少なくすることができ、これにより、第１のコイル２０と第２のコイル２１との間の磁気結合は強まり、さらに、磁性を有する第１の絶縁層１１、第５の絶縁層１９の磁界を効果的に活用でき、この結果、第１のコイル２０と第２のコイル２１のコモンモード成分のインピーダンスが大きくなるものである。
【００３１】
なお、前記第１の導体１２、第４の導体１８の形状は、コモンモードノイズ成分のインピーダンスが小さくならなければ、特に限定されるものではないが、図１に示すような形状にすれば、第１の導体１２、第４の導体１８のディファレンシャル成分のインピーダンスが低くなり、その分だけコモンモード成分のインピーダンスを大きくすることができる。
【００３２】
また、第１〜第４の引出電極２２、２４、２５、２７も銀等の導電材料をめっきすることにより形成するが、この場合、第１〜第４の引出電極２２、２４、２５、２７は、第１〜第４の導体１２、１４、１６、１８と同時に同じ材料で形成するのが好ましい。なお、第１〜第４の導体１２、１４、１６、１８および第１〜第４の引出電極２２、２４、２５、２７は、めっきで形成するのではなく、その他の印刷や蒸着等の方法で形成してもよい。
【００３３】
なお、図３に示すように、第３の絶縁層１５において第２の導体１４および第３の導体１６の渦巻きの内側に磁性材料からなる磁性部３４を設けてもよい。このとき、この磁性部３４は渦巻き状の第２の導体１４および第３の導体１６における最も内側にある導体よりも内側に形成され、かつ第２の導体１４および第３の導体１６とは接触しないように設けられている。
【００３４】
このようにした場合は、第１のコイル２０と第２のコイル２１との間、すなわち磁気結合する第２の導体１４と第３の導体１６との間に位置する第３の絶縁層１５に磁性材料を設けることができ、これにより、第１のコイル２０と第２のコイル２１の間を交差する磁界を強めることができるため、第１のコイル２０、第２のコイル２１のコモンモード成分のインピーダンスを大きくすることができる。特に、本発明のように、第３の絶縁層１５の厚みを厚くしている場合は、第１のコイル２０と第２のコイル２１の間の距離が長くなっているため、第１のコイル２０と第２のコイル２１の間を交差する磁界が弱く、非常に有効な構成といえる。さらに、同一の絶縁層には、異なる材料からなる磁性部３４とバイア電極２３、２６の両方を設けないようにすれば、容易に磁性部３４あるいはバイア電極２３、２６を形成することができる。
【００３５】
また、図４に示すように、第４の引出電極２７は、第１の引出電極２２が設けられた第１の絶縁層１１の同一面に設けるようにしてもよく、この場合は、第２のバイア電極２６を、第２の絶縁層１３および第３の絶縁層１５に設け、かつ第４の導体１８および第４の引出電極２７を第１の絶縁層１１の上面に設けて、第３の導体１６の他端部１６ａと第４の導体１８とを接続する必要がある。なお、図４においては、第４の引出電極２７は第２の絶縁層１３に隠れているため、図示されていない。また、第１の引出電極２２を、第４の引出電極２７が設けられた第４の絶縁層１７の同一面に設けるようにしてもよい。このようにした場合も、第１の引出電極２２、第４の引出電極２７が同一面内に設けられることになるため、第１の引出電極２２、第４の引出電極２７同士でも磁気結合させることができ、これにより、第１のコイル２０と第２のコイル２１との間の磁気結合が強まるため、コモンモード成分のインピーダンスをさらに大きくすることができる。
【００３６】
さらに、第１〜第４の引出電極２２、２４、２５、２７のそれぞれの幅は、第１〜第４の導体１２、１４、１６、１８のそれぞれの幅より広くしてもよく、このようにした場合は、第１のコイル２０と第２のコイル２１との磁気結合に関係しない第１〜第４の導体１２、１４、１６、１８の磁気的な影響を低減することができるため、磁気結合する部分のほとんどを互いに磁気的な影響を及ぼし合う第２の導体１４と第３の導体１６とにすることができ、これにより、コモンモード成分のインピーダンスをさらに大きくすることができる。
【００３７】
そしてまた、第１の導体１２および第４の導体１８のそれぞれの幅は、第２の導体１４および第３の導体１６の幅より広くしてもよく、このようにした場合は、第１の導体１２および第４の導体１８で発生するディファレンシャルモード成分のインピーダンスを小さくできるため、その分だけ第１のコイル２０、第２のコイル２１のコモンモード成分のインピーダンスをさらに大きくすることができる。
【００３８】
次に、本発明の一実施の形態におけるコモンモードノイズフィルタの製造方法について説明する。
【００３９】
図１、図２において、まず、それぞれの原材料である磁性材料や非磁性材料の粉体および樹脂からなる混合物により、方形の第１〜第５の絶縁層１１、１３、１５、１７、１９、ダミー絶縁層２８をそれぞれ所定枚数作製する。このとき、第２の絶縁層１３、第４の絶縁層１７の所定箇所に、レーザ、パンチング等で孔あけ加工をし、この孔に銀を充填して、第１、第２のバイア電極２３、２６を形成する。また、第３の絶縁層１５の厚みを第２の絶縁層１３、第４の絶縁層１７の厚みより厚くする。
【００４０】
次に、所定枚数のダミー絶縁層２８の上面に、第１の絶縁層１１を配置する。
【００４１】
次に、第１の絶縁層１１の上面に、第１の導体１２および第１の引出電極２２を、めっきによって形成する。
【００４２】
次に、第１の導体１２の上面に、第１のバイア電極２３が設けられた第２の絶縁層１３を配置する。このとき、第１の導体１２の他端部１２ａと第１のバイア電極２３とを接続する。
【００４３】
次に、第２の絶縁層１３の上面に、渦巻き状の第２の導体１４および第２の引出電極２４をめっきによって形成する。このとき、第２の導体１４の他端部１４ａと第１のバイア電極２３とを接続する。
【００４４】
次に、第２の導体１４の上面に、第３の絶縁層１５を配置する。
【００４５】
次に、第３の絶縁層１５の上面に、渦巻き状の第３の導体１６および第３の引出電極２５をめっきによって形成する。
【００４６】
次に、第３の導体１６の上面に、第２のバイア電極２６が設けられた第４の絶縁層１７を配置する。このとき、第３の導体１６の他端部１６ａと第２のバイア電極２６とを接続する。
【００４７】
次に、第４の絶縁層１７の上面に、第４の導体１８および第４の引出電極２７をめっきによって形成する。このとき、第４の導体１８の他端部１８ａと第２のバイア電極２６とを接続する。
【００４８】
なお、第１の導体１２、第２の導体１４、第３の導体１６、第４の導体１８の形成方法は、別途用意したベース板（図示せず）に所定パターン形状の導体をめっきによって形成し、その後、この導体を各絶縁層に転写することにより形成する。
【００４９】
次に、第４の導体１８の上面に、第５の絶縁層１９を配置し、その後、第５の絶縁層１９の上面に所定枚数のダミー絶縁層２８を配置してノイズフィルタ本体部２９を形成する。
【００５０】
なお、上記製造工程において、製造上の効率を向上させるために、各絶縁層に第１の導体１２、第２の導体１４、第３の導体１６、第４の導体１８をそれぞれ複数設けた後、各個片に切断するようにして、同時に複数のノイズフィルタ本体部２９を得るようにしてもよい。
【００５１】
次に、ノイズフィルタ本体部２９を所定の温度、時間で焼成する。
【００５２】
次に、ノイズフィルタ本体部２９の両側面に、第１〜第４の引出電極２２、２４、２５、２７とそれぞれ接続されるように銀を印刷することにより、第１〜第４の外部電極３０、３１、３２、３３を形成する。
【００５３】
最後に、第１〜第４の外部電極３０、３１、３２、３３の表面にめっきによってニッケルめっき層を形成するとともに、さらにこのニッケルめっき層の表面にめっきによってすずやはんだ等の低融点金属めっき層を形成する。
【００５４】
上記した本発明の一実施の形態においては、第１の絶縁層１１の上面に設けられた第１の導体１２と、前記第１の導体１２の上面に設けられた第２の絶縁層１３と、前記第２の絶縁層１３の上面に設けられかつ前記第１の導体１２に接続されてこの第１の導体１２とにより第１のコイル２０を構成する渦巻き状の第２の導体１４と、前記第２の導体１４の上面に設けられた第３の絶縁層１５と、前記第３の絶縁層１５の上面に設けられた渦巻き状の第３の導体１６と、前記第３の導体１６の上面に設けられた第４の絶縁層１７と、前記第４の絶縁層１７の上面に設けられかつ前記第３の導体１６に接続されてこの第３の導体１６とにより第２のコイル２１を構成する第４の導体１８と、前記第４の導体１８の上面に設けられた第５の絶縁層１９と、前記第１〜第４の導体１２、１４、１６、１８の各々の一端部にそれぞれ接続された第１〜第４の引出電極２２、２４、２５、２７とを備え、前記第１の絶縁層１１および第５の絶縁層１９を磁性体で構成し、かつ前記第２〜第４の絶縁層１３、１５、１７を非磁性体で構成するとともに、前記第３の絶縁層１５の厚みを前記第２の絶縁層１３および第４の絶縁層１７の厚みより厚くしているため、第３の絶縁層１５の厚みを厚くすることができ、これにより、この第３の絶縁層１５を介して設けられた第２の導体１４と第３の導体１６との間、すなわち第１のコイル２０と第２のコイル２１との間で絶縁不良やマイグレーション等が発生するのを防止することができ、さらには、第２の絶縁層１３および第４の絶縁層１７の厚みを薄くでき、これにより、第１の絶縁層１１と第２の導体１４との距離および第５の絶縁層１９と第３の導体１６との距離をそれぞれ短くできるため、磁性体で構成された第１の絶縁層１１および第５の絶縁層１９で発生する磁界を有効に活用でき、この結果、第１のコイル２０、第２のコイル２１のコモンモード成分のインピーダンスを大きくすることができるものである。
【００５５】
ここで、図５は、本発明の一実施の形態におけるコモンモードノイズフィルタにおいて、第２の絶縁層１３および第４の絶縁層１７の厚みと、第１のコイル２０、第２のコイル２１の結合係数との関係を示す図である。
【００５６】
このとき、試料として、第３の絶縁層１５の厚みを２４μｍとした図１に示す構造を備えたコモンモードノイズフィルタを作製した。そして、その結合係数が０．９４以下のものを不良とした。なお、この結合係数が大きいほど、第１のコイル２０、第２のコイル２１のコモンモード成分のインピーダンスを大きくすることができる。
【００５７】
図５から明らかなように、第２の絶縁層１３および第４の絶縁層１７の厚みは２０μｍ以下にする必要があることがわかる。２０μｍより厚いと磁性を有する第１の絶縁層１１、第５の絶縁層１９の磁界を効果的に活用できないからである。
【００５８】
また、第２の絶縁層１３および第４の絶縁層１７の厚みの下限値は、要求される特性に応じて適宜決めればよいが、取り扱い易さを考慮して例えば５μｍ以上とするのが好ましい。このとき、第２の絶縁層１３は、２０μｍより薄くても、第２の絶縁層１３の上下に設けられた第１の導体１２と第２の導体１４が同電位であるため、絶縁不良等の問題はあまり発生しない。第４の絶縁層１７についても同様である。
【００５９】
図６は、本発明の一実施の形態において、第３の絶縁層１５の厚みと絶縁不良発生率との関係を示す図である。
【００６０】
このとき、試料として、第２の絶縁層１３および第４の絶縁層１７の厚みを１７μｍとした図１に示す構造を備えたコモンモードノイズフィルタを作製した。そして、周囲の温度１２５℃、湿度８５％、圧力２ａｔｍの条件下で連続して５Ｖ印加し、絶縁抵抗が１０7Ω以下のものを不良とした。
【００６１】
なお、図６で、Ａは第３の絶縁層１５の厚みが１７μｍ、Ｂは２０μｍ、Ｃは２４μｍのものを示している。
【００６２】
図６から明らかなように、Ａは３６時間経過後に絶縁不良が発生したが、Ｂ、Ｃは６０時間経過しても絶縁不良は発生しなかった。すなわち、第３の絶縁層１５の厚みは２０μｍ以上にする必要があることがわかる。また、２０μｍより薄いと第２の導体１４と第３の導体１６との間で絶縁不良が発生するだけでなく、マイグレーション等が発生する可能性も大きくなる。
【００６３】
また、第３の絶縁層１５の厚みの上限値は、要求される特性に応じて適宜求めればよいが、第１のコイル２０と第２のコイル２１の磁気結合や、製品全体の厚み等を考慮して例えば５０μｍ以下とするのが好ましい。
【００６４】
なお、上記本発明の一実施の形態におけるコモンモードノイズフィルタにおいては、第１のコイル２０、第２のコイル２１をそれぞれ１つ設けたが、第１のコイル２０、第２のコイル２１をそれぞれ複数設けたアレイタイプとしてもよい。
【産業上の利用可能性】
【００６５】
本発明に係るコモンモードノイズフィルタは、第１のコイルと第２のコイルとの間で絶縁不良やマイグレーション等が発生するのを防止することができ、さらには第１のコイル、第２のコイルのコモンモード成分のインピーダンスも大きくすることができ、携帯電話、情報機器等のノイズ対策として使用されるノイズフィルタ等として有用である。
【図面の簡単な説明】
【００６６】
【図１】本発明の一実施の形態におけるコモンモードノイズフィルタの分解斜視図
【図２】同コモンモードノイズフィルタの斜視図
【図３】同コモンモードノイズフィルタの他の例を示す分解斜視図
【図４】同コモンモードノイズフィルタのさらに他の例を示す分解斜視図
【図５】同コモンモードノイズフィルタにおいて、第２の絶縁層および第４の絶縁層の厚みと、第１のコイル、第２のコイルの結合係数との関係を示す図
【図６】同コモンモードノイズフィルタにおいて、第３の絶縁層の厚みと絶縁不良発生率との関係を示す図
【図７】従来のコモンモードノイズフィルタの分解斜視図
【符号の説明】
【００６７】
１１  第１の絶縁層
１２  第１の導体
１３  第２の絶縁層
１４  第２の導体
１５  第３の絶縁層
１６  第３の導体
１７  第４の絶縁層
１８  第４の導体
１９  第５の絶縁層
２０  第１のコイル
２１  第２のコイル
２２  第１の引出電極
２４  第２の引出電極
２５  第３の引出電極
２７  第４の引出電極
３４  磁性部
【図１】
0004626185.tif 000002
【図２】
0004626185.tif 000003
【図３】
0004626185.tif 000004
【図４】
0004626185.tif 000005
【図５】
0004626185.tif 000006
【図６】
0004626185.tif 000007
【図７】
0004626185.tif 000008